(57)【特許請求の範囲】
【請求項１】
内側にシリンダーを支持したシリンダー筒と、
前記シリンダーに備えられる回動自在な回動片と錠機構部とを連結し、前記シリンダー筒に内設されるコネクターと、
前記シリンダー筒に回動自在に外挿した筒状の非常開ハンドルと、
前記コネクターに設けられ半径方向外側へ突出し、前記シリンダー筒に周方向に長く穿設されたガイド穴内に貫通配置されるコネクタ直結ピンと、
前記非常開ハンドルの内周に軸線方向で移動自在に設けられ、該移動方向に直交して突出される掛止腕を有するとともに、付勢手段が設けられ、前記非常開ハンドルの後端方向に付勢されており、前記コネクタ直結ピンに前記掛止腕を引っ掛けた際には前記非常開ハンドルの後端より突出せず、前記シリンダー筒への非係合状態を保持する一方、前記非常開ハンドルの回転によって前記コネクタ直結ピンへの前記掛止腕の掛止を解除し前記付勢手段によって軸線方向に突出した際には前記シリンダー筒に係合する逆転防止板と、
を具備したことを特徴とする非常解錠装置。
【請求項２】
請求項１記載の非常解錠装置において、
前記シリンダーの施錠及び解錠の回転範囲における回転終端に対応した各位置となる前記非常開ハンドルの内周に、掛止腕の先端が互いに向き合う対称形状に形成される一対の逆転防止板が配設されることを特徴とする非常解錠装置。
【発明の詳細な説明】
【０００１】
【発明の属する技術分野】
本発明は、キーを用いずに解錠できる非常解錠装置に関し、特に、非常開時の再施錠を防止する改良技術に関する。
【０００２】
【従来の技術】
非常扉等は、防犯上の問題から通常時には施錠できることが望ましいが、火災等の非常時にはキーを用いずに容易に解錠できることが望ましい。このような非常扉等に用いられる施錠装置として、従来より非常解錠装置がある。この非常解錠装置は、シリンダーと、非常開ハンドルとを備えている。
【０００３】
非常解錠装置では、通常時、キーによりシリンダーを回動操作することで非常扉内に設けた錠箱の施解錠機構を動作させ、通常の施錠装置と同様に錠箱からデッドボルトを進退させて、非常扉の施解錠を可能とする。一方、火災等の非常時には、通常は覆われている非常開ハンドルを表出させて操作することにより、キーを用いずに直接的に錠箱の入力部材（所謂ダルマ）を回転し、デッドボルトを錠箱内に後退させる解錠操作を可能としていた。
【０００４】
【発明が解決しようとする課題】
しかしながら、従来の非常解錠装置は、非常開ハンドルによって、解錠操作力及び施錠操作力のいずれの操作力も錠箱へ伝達できるようになっていたため、非常時に、非常開ハンドルを使用して解錠した後、誤操作等により非常開ハンドルが操作されると、非常扉等が再び施錠状態となった。
【０００５】
特に火災等の非常時には迅速な退避が安全上最も重要となることから、このような誤操作等による再施錠が可能となることは好ましくない。すなわち、非常時においては、非常開ハンドルを使用して解錠した場合には、解錠状態が保持されることが望ましい。
【０００６】
本発明は上記状況に鑑みてなされたもので、非常開時の誤操作等による再施錠が防止でき、開状態を保持し続けることができる非常解錠装置を提供し、もって、非常解錠装置の信頼性向上を図ることを目的とする。
【０００７】
【課題を解決するための手段】
次に、上記の課題を解決するための手段を、実施の形態に対応する図面を参照して説明する。
この発明の請求項１記載の非常解錠装置７１は、内側にシリンダー７を支持したシリンダー筒５と、
前記シリンダー７に備えられる回動自在な回動片１７と錠機構部とを連結するコネクター２３と、
前記シリンダー筒５に回動自在に外挿した筒状の非常開ハンドル４１と、
前記コネクター２３に設けられ半径方向外側へ突出するコネクタ直結ピン３５と、
掛止腕５１を有して前記非常開ハンドル４１の内周に軸線方向で移動自在に設けられ前記コネクタ直結ピン３５に前記掛止腕５１を引っ掛けて前記シリンダー筒５への非係合状態を保持する一方、前記非常開ハンドル４１の回転によって前記コネクタ直結ピン３５への前記掛止腕５１の掛止を解除し付勢手段５３によって軸線方向に突出して前記シリンダー筒５に係合する逆転防止板４９と、
を具備したことを特徴とする。
【０００８】
この非常解錠装置７１では、非常開ハンドル４１を回転し、逆転防止板４９に掛止したコネクタ直結ピン３５を介してコネクター２３を直接回転させ、錠箱３内の錠機構部を直接解錠した場合において、再び非常開ハンドル４１を回転させて施錠しようとすると、逆転防止板４９の掛止腕５１がコネクタ直結ピン３５から離れ、コネクタ直結ピン３５による逆転防止板４９の掛止が解除される。すると、逆転防止板４９は、付勢手段５３によって軸線方向に移動され、シリンダー筒５に係合し、それ以上の非常開ハンドル４１の回転を阻止する。これにより、非常開ハンドル４１による再施錠が阻止されることになる。
【０００９】
請求項２記載の非常解錠装置７１は、請求項１記載の非常解錠装置７１において、
前記シリンダー７の施錠及び解錠の回転範囲における回転終端に対応した各位置となる前記非常開ハンドル４１の内周に、掛止腕５１の先端が互いに向き合う対称形状に形成される一対の逆転防止板４９，４９が配設されることを特徴とする。
【００１０】
この非常解錠装置７１では、シリンダー７の施錠及び解錠を行う回転操作の回転方向が、いずれの場合であっても、コネクタ直結ピン３５の位置を変更することで再施錠の阻止を行うことの可能な非常解錠装置を得ることができ、すなわち、非常開ハンドル４１として左右勝手のない構成を得ることができる。
【００１１】
【発明の実施の形態】
以下、本発明に係る非常解錠装置の好適な実施の形態を図面を参照して詳細に説明する。
図１は本発明に係る非常解錠装置の断面図、図２はシリンダー筒の上面視を（ａ）、下面視を（ｂ）に表した斜視図、図３はコネクターの後方視を（ａ）、前方視を（ｂ）に表した斜視図、図４は非常開ハンドルの上面視を（ａ）、下面視を（ｂ）に表した斜視図、図５は図１に示した非常解錠装置の要部斜視図、図６は図１の非常解錠装置に設けられたクリック機構の断面図、図７は図１に示した非常解錠装置のカバー装着状態を（ａ）、カバー脱着状態を（ｂ）に表した正面図である。
【００１２】
図１に示すように、非常扉１の内部には、錠箱３を内蔵している。錠箱３は、図示しない錠機構部を内設し、図示しない入力部材（所謂ダルマ）に操作回動力が入力されることで、図示しないデッドボルトを進退させて、非常扉１の施解錠を可能とする。非常扉１には、錠箱３に対して回転不能となったシリンダー筒５を取り付けてある。シリンダー筒５は、非常扉１又は錠箱３に固定されるもののいずれであってもよい。
【００１３】
このシリンダー筒５は、内側にシリンダー７を支持している。図２に示すように、シリンダー筒５の先端には、内筒表出穴９を穿設してあり、この内筒表出穴９からはシリンダー７の内筒１１が表出する。シリンダー７は、内筒１１の表出端面にキー挿入孔１３（図７参照）を有している。内筒１１は、図示しないキーを、キー挿入孔１３に挿入することで、内設した複数のタンブラーピンのシアーラインを内筒１１と外筒１５との境に一致させ回動自在となる。このようにして回動自在となった内筒１１の回動は、シリンダー７の後端から突出する回動片１７に出力される。回動片１７は、シリンダー７に対して回動自在に設けられている。すなわち、回動片１７は内筒１１及び外筒に対して連動連結されずに回動自在であり、キー挿入孔１３に挿入されるキーの先端が係止されることで、このキーとともに内筒１１と連動して回転する。
【００１４】
シリンダー筒５の外周後端の下部には、図２（ｂ）に示す逆転防止突起１９を固設している。また、シリンダー筒５の後端部には、円周方向に長いガイド穴２１を穿設している。図１に示すように、シリンダー筒５は、シリンダー７の後方に、円柱形状のコネクター２３を回動自在に内設している。
【００１５】
図３に示すように、コネクター２３の前端面には、シリンダー７の回動片１７が嵌入する直径方向の嵌入溝２５を形成している。また、コネクター２３の後端面には、錠箱３内の錠機構部を構成する図示しないダルマに相対回転不能に係合する十字状の出力軸２７を突設している。コネクター２３は、シリンダー筒５の後端内周に形成した固定溝２９に嵌着した固定リング３１によって、シリンダー筒５の後端からの脱落が防止されている。コネクター２３は、シリンダー７の回動操作力を錠箱３のダルマに伝達するよう働く。
なお、図１に示すように、シリンダー７とコネクター２３との間隙には、スペーサ３３が設けられ、シリンダー７に対するコネクター２３の回転時の支持を行っている。
【００１６】
図１に示すように、コネクター２３には、コネクタ直結ピン３５を、半径方向外側に突出するように突設している。このコネクタ直結ピン３５は、シリンダー筒５のガイド穴２１を介してシリンダー筒５の外周面から突出する。したがって、コネクター２３が回動すると、コネクタ直結ピン３５は、ガイド穴２１に沿ってシリンダー筒５の周方向を往復移動する。
【００１７】
非常扉１から突出したシリンダー筒５の先端部には、シリンダー飾り筒３９を装着している。シリンダー筒５の外周には、筒状の非常開ハンドル４１を外挿している。図４に示すように、非常開ハンドル４１は、外周前端の上下面に、略三角板形状の指掛板４３を突設している。
【００１８】
また、非常開ハンドル４１は、後述の逆転防止板を装着するための装着溝４４，４４を内周面に形成している。さらに、非常開ハンドル４１の後端下部には、円周方向に長い透孔４５を穿設している。本実施の形態では、シリンダー筒５のガイド穴２１から突出したコネクタ直結ピン３５が、この透孔４５内にも進入することとなる。なお、コネクタ直結ピン３５は、後述の逆転防止板と係合することが必須要件となるので、非常開ハンドル４１の透孔４５から必ずしも突出させる必要はない。
【００１９】
非常開ハンドル４１の内周には、軸線方向に移動自在となった図５に示す逆転防止板（ストッパーボード）４９を設けている。ストッパーボード４９は、軸線と直交する周方向に突出する掛止腕５１を有しており、略Ｔ字状に形成されている。また、非常開ハンドル４１の内部には付勢手段であるコイルスプリング５３を設けてあり、コイルスプリング５３はストッパーボード４９を非常開ハンドル４１の後端側から突出する方向に付勢する。
【００２０】
ストッパーボード４９は、図５に示すように、掛止腕５１を、シリンダー筒５のガイド穴２１から突出したコネクタ直結ピン３５に引っ掛けることで、逆転防止突起１９、すなわち、シリンダー筒５への非係合状態が保持される。一方、非常開ハンドル４１が図５の矢印ａ方向に回転されると、ストッパーボード４９とコイルスプリング５３とが非常開ハンドル４１と共に移動し、コネクタ直結ピン３５に対する掛止腕５１の引っ掛かりが解除される。
これにより、ストッパーボード４９がコイルスプリング５３の付勢力によって非常開ハンドル４１の後端側から突出し、逆転防止突起１９に係合して、非常開ハンドル４１の同方向の回転を阻止するようになっている。
【００２１】
図６に示すように、シリンダー筒５の外周には凹部５５を形成し、この凹部５５内には先端が略球面状のクリックピン５７を設けている。凹部５５の底面とクリックピン５７との間にはバネ５９を配設してあり、バネ５９はクリックピン５７をシリンダー筒５の外周から突出させる方向に付勢している。
一方、非常開ハンドル４１の内周面には、クリックピン５７の先端が進入する窪み部６０を形成している。すなわち、非常開ハンドル４１は、所定の回転モーメント以下では回動が阻止されるようになっている。これにより、コネクタ直結ピン３５が移動した場合であっても、非常開ハンドル４１の共回りが阻止されるようになっている。
【００２２】
本実施の形態では、図９（ｄ）に示すように、一対のストッパーボード４９，４９が、シリンダー筒５外周面上の軸線と平行な線を対称とし、非常開ハンドル４９の内周に配設している。これらストッパーボード４９，４９は、それぞれの掛止腕５１，５１の先端が互いに向き合うように対称形状となり、シリンダー７の施錠及び解錠の回転範囲における回転終端に対応した各位置、すなわち、本実施の形態では、約９０°の範囲で施錠及び解錠となるシリンダー７とされるので、この回転範囲に対応して周方向に長く形成された非常開ハンドル４１の透孔４５の両端位置に設けられる。これらストッパーボード４９，４９によって、本実施の形態の非常解錠装置７１では、シリンダー７の施錠及び解錠を行う回転操作の回転方向が、いずれの場合であっても、コネクタ直結ピン３５の位置を変更することで再施錠の阻止を行うことの可能な非常解錠装置を得ることができ、すなわち、非常開ハンドル４１として左右勝手のない構成を得ることができる。
【００２３】
図１に示すように、非常扉１の表面には、非常開ハンドル４１を挟む上方と下方とに、係止板６１，６１を備えたベース板６９が固着してある。この係止板６１，６１には、非常開ハンドル４１を覆う箱状のカバー６３の係止爪６５を脱着自在に係止している。
したがって、図７に示すように、カバー６３が非常扉１に取り付けられている状態では、非常開ハンドル４１が覆われ、シリンダー７の先端部のみがカバー６３のシリンダー表出穴６７から表出する。
一方、火災等の非常時には、カバー６３の例えば下部を引っ張ることにより、係止板６１，６１と係止爪６５との係止が解除され、カバー６３が取り除かれることで図７（ｂ）に示すように、非常開ハンドル４１が表出されるようになっている。
【００２４】
次に、以上のように構成される非常解錠装置７１の作用を説明する。
図８は非常解錠操作前における非常解錠装置の背面視を（ａ）、（ａ）のｂ方向側面視を（ｂ）に表した動作説明図、図９は非常解錠状態における非常解錠装置の背面視を（ａ）、（ａ）のｂ，ｃ，ｄ，ｅ方向側面視を（ｂ），（ｃ），（ｄ），（ｅ）に表した動作説明図、図１０は施錠復帰不可状態における非常解錠装置の背面視を（ａ）、（ａ）のｂ，ｃ方向側面視を（ｂ），（ｃ）に表した動作説明図、図１１は鍵・サムターンでの施錠復帰状態における非常解錠装置の背面視を（ａ）、（ａ）のｂ，ｃ方向側面視を（ｂ），（ｃ）に表した動作説明図である。
【００２５】
図８に示すように、非常解錠操作前では、ストッパーボード４９は、コイルスプリング５３によって付勢されるが、掛止腕５１がコネクタ直結ピン３５に引っ掛かっているため、非常開ハンドル４１の後端から突出することはない。したがって、この状態では、ストッパーボード４９は、逆転防止突起１９に係合することなく通過が可能となる。
【００２６】
この状態で、非常開ハンドル４１を図９の矢印ｂ方向に回すと、非常開ハンドル４１の内周に装着したストッパーボード４９に、コネクタ直結ピン３５が押され、ガイド穴２１に沿って移動し、コネクター２３が同方向へ回転される。これにより、錠箱３内のダルマが直接的に解錠操作されることになる。
【００２７】
図１０に示すように、非常開ハンドル４１が操作されて、解錠状態となった非常解錠装置７１は、非常開ハンドル４１を逆回転させて施錠復帰しようとすると、コネクタ直結ピン３５に引っ掛かった状態であったストッパーボード４９の掛止腕５１が、コネクタ直結ピン３５から離反する方向に移動して外れる。これにより、ストッパーボード４９は、コネクタ直結ピン３５による係止が解除され、コイルスプリング５３の付勢力によって非常開ハンドル４１の後端から突出し、逆転防止突起１９に係合して非常開ハンドル４１の逆転が阻止される。このようにして、非常時における非常開ハンドル４１を使用した再施錠操作が阻止されるようになっている。
【００２８】
また、キー（合カギ）あるいはサムターンによって施錠復帰を行う場合には、図１１に示すように、コネクタ直結ピン３５が、ストッパーボード４９の掛止腕５１を載せたまま移動することとなるので、ストッパーボード４９の先端が逆転防止突起１９に係合することがなく、コネクタ直結ピン３５はガイド穴２１に沿い移動する。
【００２９】
このように、上記の非常解錠装置７１によれば、非常開ハンドル４１を回転し、ストッパーボード４９に掛止したコネクタ直結ピン３５を介してコネクター２３を直接回転させ、錠箱３内の施錠機構を直接解錠した場合において、再び非常開ハンドル４１を回転させて施錠しようとすると、ストッパーボード４９の掛止腕５１がコネクタ直結ピン３５から離れ、コネクタ直結ピン３５によるストッパーボード４９の掛止が解除される。
すると、ストッパーボード４９は、コイルスプリング５３によって軸線方向に移動され、シリンダー筒５の逆転防止突起１９に係合する。これにより、それ以上の非常開ハンドル４１の回転を阻止して、非常開ハンドル４１による再施錠を阻止することができる。
【００３０】
また、対称形状のストッパーボード４９，４９を配設した構成とすることで、シリンダー７の施錠及び解錠を行う回転操作の回転方向が、いずれの場合であっても、コネクタ直結ピン３５の位置を変更することで再施錠の阻止を行うことの可能な非常解錠装置を得ることができ、すなわち、非常開ハンドル４１として左右勝手のない汎用性のある構成を得ることができる。
【００３１】
【発明の効果】
以上説明したように、本発明に係る請求項１記載の非常解錠装置によれば、シリンダー筒の内側にシリンダーを支持し、シリンダーの回動片と錠機構部とを連結するコネクターにコネクタ直結ピンを突設し、シリンダー筒に筒状の非常開ハンドルを回動自在に外挿し、非常開ハンドルの回転によってコネクタ直結ピンへの掛止を解除してシリンダー筒に係合する逆転防止板を備えたので、非常開ハンドルを使用して解錠した場合、再び非常開ハンドルを回転させて施錠しようとすると、逆転防止板がシリンダー筒に係合し、それ以上の非常開ハンドルの回転が阻止され、非常開ハンドルによる再施錠を阻止することができる。これにより、非常開時に、誤操作等により非常解錠装置が再施錠されることを防止して、開状態を保持し続けることができ、非常解錠装置の信頼性を向上させることができる。
【００３２】
請求項２記載の非常解錠装置によれば、シリンダーの施錠及び解錠の回転範囲における回転終端に対応した各位置となる非常開ハンドルの内周に、掛止腕の先端が互いに向き合う対称形状に形成される一対の逆転防止板を配設したので、シリンダーの施錠及び解錠を行う回転操作の回転方向が、いずれの場合であっても、コネクタ直結ピンの位置を変更することで再施錠の阻止を行うことの可能な非常解錠装置を得ることができ、すなわち、非常開ハンドルとして左右勝手のない構成を得ることができる。これにより、汎用性のある非常解錠装置を得ることが可能となる。
【図面の簡単な説明】
【図１】本発明に係る非常解錠装置の断面図である。
【図２】シリンダー筒の上面視を（ａ）、下面視を（ｂ）に表した斜視図である。
【図３】コネクターの後方視を（ａ）、前方視を（ｂ）に表した斜視図である。
【図４】非常開ハンドルの上面視を（ａ）、下面視を（ｂ）に表した斜視図である。
【図５】図１に示した非常解錠装置の要部斜視図である。
【図６】図１の非常解錠装置に設けられたクリック機構の断面図である。
【図７】図１に示した非常解錠装置のカバー装着状態を（ａ）、カバー脱着状態を（ｂ）に表した正面図である。
【図８】非常解錠操作前における非常解錠装置の背面視を（ａ）、（ａ）のｂ方向側面視を（ｂ）に表した動作説明図である。
【図９】非常解錠状態における非常解錠装置の背面視を（ａ）、（ａ）のｂ，ｃ，ｄ，ｅ方向側面視を（ｂ），（ｃ），（ｄ），（ｅ）に表した動作説明図である。
【図１０】施錠復帰不可状態における非常解錠装置の背面視を（ａ）、（ａ）のｂ，ｃ方向側面視を（ｂ），（ｃ）に表した動作説明図である。
【図１１】鍵・サムターンでの施錠復帰状態における非常解錠装置の背面視を（ａ）、（ａ）のｂ，ｃ方向側面視を（ｂ），（ｃ）に表した動作説明図である。
【符号の説明】
５…シリンダー筒
７…シリンダー
１７…回動片
２３…コネクター
３５…コネクタ直結ピン
４１…非常開ハンドル
４９…逆転防止板（ストッパーボード）
５１…掛止腕
５３…付勢手段（コイルスプリング）
７１…非常解錠装置
【図１】
0004094326.tif 000002
【図２】
0004094326.tif 000003
【図３】
0004094326.tif 000004
【図４】
0004094326.tif 000005
【図５】
0004094326.tif 000006
【図６】
0004094326.tif 000007
【図７】
0004094326.tif 000008
【図８】
0004094326.tif 000009
【図９】
0004094326.tif 000010
【図１０】
0004094326.tif 000011
【図１１】
0004094326.tif 000012